(57)【特許請求の範囲】
【請求項１】
イメージデータに基づいたシートイメージ上に設定したイメージチェック帯に画像を形成するピクセルがあるか否かを検出して、該イメージデータが複数のページイメージデータを面付けしたものであるか否かを判定する判定手段と、
前記判定手段によって前記イメージデータが複数のページイメージデータを面付けしたものであると判定されたときに、該イメージデータに対して、個々のページイメージデータの切り出し条件を設定し、前記イメージデータからページイメージデータを分割する分割手段と、
を含むことを特徴とするイメージ分割装置。
【請求項２】
イメージデータファイル内のイメージデータの総数に対する前記判定手段によって複数のページイメージデータを面付けした前記イメージデータの総数の比率が予め設定している所定値を超えている時に、前記イメージデータファイルがシグネチャージョブファイルであると判定することを特徴とする請求項１に記載のイメージ分割装置。
【請求項３】
前記切り出し条件から切り出した前記ページイメージデータを関連付ける面付け情報を作成する面付け情報作成手段を含むことを特徴とする請求項１に記載のイメージ分割装置。
【請求項４】
前記分割手段が、前記イメージチェック帯を挟んだ前記ページイメージデータのイメージの間隔に基づいて、ページイメージデータとして分割する領域を設定することを特徴とする請求項１又は請求項３に記載のイメージ分割装置。
【請求項５】
前記分割手段が、前記イメージデータのページイメージデータから、個々のページイメージデータの切り出し順序及び並び替え順序を設定することを特徴とする請求項１、請求項３または請求項４の何れか１項に記載のイメージ分割装置。
【請求項６】
前記分割手段が、前記イメージデータに基づいたシートイメージ上の前記ページイメージデータのイメージに応じて前記イメージの回転方向を調整するように、前記ページイメージデータを分割することを特徴とする請求項１、請求項３から請求項５の何れか１項に記載のイメージ分割装置。
【発明の詳細な説明】
【０００１】
【発明の属する技術分野】
本発明は、面付けされたイメージデータから複数のページイメージデータを分割するイメージ分割装置に関する。
【０００２】
【従来の技術】
小冊子印刷等に用いられる版下管理装置には、スキャナ等を用いて読込んだイメージデータや、ネットーワークを介して伝送されるイメージデータに対して、種々の編集や加工を行って、印刷装置へ出力すると共に、作成した版下を保存管理するものがある。また、このような版下管理装置では、例えば編集加工を施したＴＩＦＦ（Tag  Image  File  Format）ファイル等のイメージデータファイルを、イメージデータを関連付ける情報（ジョブチケット）と共に印刷装置に出力する。これにより、印刷装置は、イメージデータをジョブチケットに基づいて印刷処理を施すことができる。
【０００３】
ところで、版下管理装置には、複数ページ分のイメージデータ（ページイメージデータとする）を面付けして、一つのイメージデータとして扱うようにし、面付けした複数のページイメージデータを関連付ける情報をジョブチケットファイルに含ませるようにし、例えばシグネチャージョブとして扱うようにしたものがある。
【０００４】
このような版下管理装置によって出力されるシグネチャージョブに対して印刷等の処理を行う場合、出力されたイメージデータがシグネチャージョブであることを判断することができなければならない。すなわち、イメージデータがＴＩＦＦファイル等の一般的フォーマットファイルであっても、ジョブチケットが特殊なフォーマットファイルであった場合、この特殊なフォーマットファイルを識別できる版下管理装置や印刷装置でないと、イメージデータの処理が困難となる。
【０００５】
このような場合、イメージデータに応じた画像をモニタ等に表示し、この表示された画像を見ながら、領域を選択して、面付けされることにより一つのイメージデータに結合されている複数のページイメージデータを分割する等の操作を行わなければならない。このような画像の分割作業は、オペレータがモニタの表示を見ながら操作しなければならず、操作ミスが生じ易い。また、面付けされたイメージデータを単にページイメージデータとなるように分割するのみならず、分割したイメージデータを、例えばページ順に並び替えたり、画像の上下が反転している場合には、画像の回転処理等が必要となり、分割作業が煩雑となってしまう。
【０００６】
【発明が解決しようとする課題】
本発明は上記事実に鑑みてなされたものであり、複数のページイメージデータを面付けて形成しているイメージデータから、個々のページイメージデータの分割を正確にかつ容易に行うことができるイメージ分割装置を提案することを目的とする。
【０００７】
【課題を解決するための手段】
上記目的を達成するために本発明は、イメージデータに基づいたシートイメージ上に設定したイメージチェック帯に画像を形成するピクセルがあるか否かを検出して、該イメージデータが複数のページイメージデータを面付けしたものであるか否かを判定する判定手段と、前記判定手段によって前記イメージデータが複数のページイメージデータを面付けしたものであると判定されたときに、該イメージデータに対して、個々のページイメージデータの切り出し条件を設定し、前記イメージデータからページイメージデータを分割する分割手段と、を含むことを特徴とする。
【０００８】
この発明によれば、判定手段が、イメージデータに基づいた印刷物上のイメージの配置であるシートイメージ上の所定の領域をイメージチェック帯に設定し、イメージチェック帯が非画像領域であるか否かから、このイメージデータが、１ページ分のイメージに相当するページイメージデータを面付けしたイメージデータであるか否かを判定する。
【０００９】
例えば、２つのページイメージデータを面付けした場合、シートページ上では、イメージの間の領域が非画像領域となる。ここから、シートページの中心線を含む所定幅の領域をイメージチェック帯に設定し、ページイメージデータを面付けしたときにイメージチェック帯にイメージがあるか否か、すなわち、イメージチェック帯が非画像領域となっているか否かを検出することにより、そのイメージデータがページイメージデータを面付けしたものであるかを判断する。
【００１０】
分割手段は、このイメージチェック帯の中心線などに沿ってイメージを分割することにより、面付けされているページイメージデータを正確に分割する。
【００１１】
このような、判定手段及び分割手段を設けることにより、オペレータがイメージデータに基づいたイメージをモニタに表示して、イメージデータとして切り出す領域を設定する作業を行うことなく、適正な位置でページイメージデータを分割することができる。
また、本発明は、イメージデータファイル内のイメージデータの総数に対する前記判定手段によって複数のページイメージデータを面付けした前記イメージデータの総数の比率が予め設定している所定値を超えている時に、前記イメージデータファイルがシグネチャージョブファイルであると判定する。
これにより、イメージデータファイル内の各イメージデータに対して、ページイメージデータに分割する必要があるか否かを正確に判定することができる。
【００１２】
このような本発明では、前記切り出し条件から切り出した前記ページイメージデータを関連付ける面付け情報を作成する面付け情報作成手段を含むことが好ましい。
【００１３】
これにより、分割手段が入力されたイメージデータからページイメージデータを分割するために設定する切り出し条件に基づいて、分割したページイメージデータを関連付ける面付け情報を適切に作成することができる。また、面付け情報を、ページイメージの分割に合わせて自動的に作成することができる。
【００１４】
このような本発明では、前記分割手段が、前記イメージチェック帯を挟んだ前記ページイメージデータのイメージの間隔に基づいて、ページイメージデータとして分割する領域を設定することができる。
【００１５】
例えば、印刷物を中綴じするようにページイメージデータが面付けされていれば、中綴じしたときに外側となるイメージデータでは、シートページ上でのページイメージデータのイメージの間隔が中心線より外側にシフトしている。
【００１６】
ここから、このシフト量を考慮することにより、ページイメージ上でイメージが一定位置となるようにページイメージデータをイメージデータから分割することができる。
【００１７】
また、本発明では、前記分割手段が、前記イメージデータのページイメージデータから、個々のページイメージデータの切り出し順序及び並び替え順序を設定することができる。
【００１８】
このような切り出し順序や並び替え順序は、イメージデータに基づいたシートイメージをモニタに表示し、ページイメージデータのイメージを見ながら設定することができる。この場合、予め設定されている複数の切り出し順序から選択するなどの方法を用いることにより、オペレータの操作が容易となると共に操作ミスを防止することができる。
【００１９】
また、個々のページイメージデータのイメージを解析して設定することも可能であり、これにより、切り出し順序の設定及び並び替え順序の設定の自動化が可能となる。
【００２０】
さらに本発明では、前記分割手段が、前記イメージデータに基づいたシートイメージ上の前記ページイメージデータのイメージに応じて前記イメージの回転方向を調整するように、前記ページイメージデータを分割することができる。
【００２１】
イメージデータをモニタ等に表示することにより、ページイメージデータのイメージが回転の必要な状態であるか否かを簡単に確認することができ、この確認結果に基づいて設定する簡単な作業によってイメージが適切な向きとなるようにページイメージデータを変換することができる。
【００２２】
また、個々のページイメージデータ内の文字や数字等のイメージを解析することにより、イメージを回転するようにページイメージデータの変換が必要か否かの判断を自動的に行うことができる。
【００２３】
【発明の実施の形態】
以下、図面を参照しながら本発明の実施の形態を説明する。図１には、本実施の形態に適用したイメージ分割装置１０の概略構成を示している。このイメージ分割装置１０は、入力部１２及び出力部１４を備えている。
【００２４】
このイメージ分割装置１０の入力部１２には、イメージデータの編集、加工、保存等の管理等を行う版下管理装置１６が接続される。また、イメージ分割装置１０の出力部１４には、イメージデータの編集、加工、保存等の管理を行う版下管理装置（版下管理装置１６と異なる）や、イメージデータに基づいた印刷処理を行う印刷装置等のイメージ処理装置１８が接続される。
【００２５】
版下管理装置１６は、例えばＴＩＦＦファイル等の一般的フォーマットのイメージデータファイルと共に、イメージデータファイルに含まれる個々のイメージデータを関連付ける情報（以下「ジョブチケット」という）ファイルを出力する。また、版下管理装置１６は、複数のイメージデータを面付けして一つのイメージデータを作成する編集機能（所謂シグネチャー機能）を備えており、面付けしたイメージデータには、ジョブチケットに面付けしたイメージデータを関連付けるシグネチャーを付与し、シグネチャージョブとして出力する。
【００２６】
一方、イメージ分割装置１０は、コントロール部２０を備えており、入力部１２から入力されるイメージデータファイルがコントロール部２０に読込まれる。また、コントロール部２０は、出力部１４を介してイメージデータファイルをイメージ処理装置１８へ出力する。このとき、コントロール部２０は、イメージデータファイル内のイメージデータを関連付けるジョブチケットを新たに作成し、イメージデータファイルとジョブチケットファイルを出力する。このジョブチケットファイルが、イメージ処理装置１８で処理（認識）可能なフォーマットで作成されることにより、イメージデータファイル内のイメージデータを、イメージ処理装置１８で処理可能となるようにしている。
【００２７】
すなわち、イメージ分割装置１０は、版下管理装置１６から出力されるジョブチケットがイメージ処理装置１８で処理できないときに、版下管理装置１６から出力されるイメージデータを、イメージ処理装置１８で処理可能となるようにして出力する。
【００２８】
このイメージ分割装置１０には、シグネチャージョブ判定部２２、イメージ分割部２４及び面付け情報設定部２６が形成されており、これらがコントロール部２０に制御されるようになっている。また、イメージ分割装置１０には、イメージデータに基づいたイメージ等の表示を行うモニタ２８と、各種設定操作等を行うための操作パネル３０が設けられており、モニタ２８及び操作パネル３０がコントロール部２０に接続している。
【００２９】
シグネチャージョブ判定部２２は、入力されたイメージデータが複数のイメージデータを面付けしたイメージデータあるか否か、すなわち、シグネチャージョブであるか否かを判定する。また、シグネチャージョブ判定部２２は、イメージデータがシグネチャージョブであると、分割数及び分割位置を設定する。
【００３０】
イメージ分割部２４では、シグネチャージョブ判定部２２の判定結果に基づいて、入力されたイメージデータを分割する。また、分割した個々のイメージデータ内のイメージから、例えばページ順となるように並び変えを行う。
【００３１】
このとき、モニタ２８にイメージデータに応じたイメージを表示し、このモニタ２８に表示したイメージを見ながら、操作パネル３０のキー操作によって予め設定されている並び替え順序等を選択することにより、コントロール部２０は、切り出したイメージデータを選択さえれている並び替え順序にしたがって並び替えるようになっている。
【００３２】
面付け情報設定部２６は、イメージ分割部２４で分割したイメージデータを互いに関連付ける面付け情報を設定し、この面付け情報を含むジョブチケットファイルを作成する。
【００３３】
イメージ分割装置１０は、このようにして例えば複数のイメージデータによって構成されるイメージデータファイルが入力されると、ページイメージデータ毎に分割し、分割したページイメージデータの並び替えを行う。さらに、イメージ分割装置１０は、イメージ処理装置１８で処理可能なフォーマットで新たなジョブチケットを作成する。
【００３４】
すなわち、版下管理装置１６は、イメージデータが印刷時のシートイメージとなっているシグネチャージョブを出力する。イメージ分割装置１０は、このシグネチャージョブが入力されると、イメージデータが印刷物を製本したときのページイメージとなるようにイメージデータを分割し、分割したイメージデータを関連付けるジョブチケットを作成する。
【００３５】
ここで、以下に図面を参照しながら、イメージ分割装置１０での処理の具体例を説明する。
【００３６】
図２に示すように、イメージ分割装置１０は、版下管理装置１６からイメージデータファイルが入力されると、ステップ１００でこのイメージデータファイルを読込む。次のステップ１０２では、先ず、入力されたイメージデータファイル内のイメージデータが、複数ページ分のイメージデータを面付けしたシグネチャージョブであるか否かのジョブ判定を行う。すなわち、イメージデータが印刷物のシートページとなるものであるか否かを判定する。
【００３７】
図３には、シグネチャージョブ判定部２２でシグネチャージョブであるか否かの判定処理の概略を示している。
【００３８】
このフローチャートでは、先ず最初のステップ１２０で、カウンタのカウント値ｆをリセット（ｆ＝０）し、この後、１枚目のイメージデータを読込み、このイメージデータのシートイメージ５０（図４（Ａ）参照）上で、長辺の中心点を通過する中心線Ｃ0を設定する（ステップ１２２）。
【００３９】
この後、ステップ１２４では、この中心線Ｃ0を中心に予め設定している所定のピクセル幅のイメージチェック帯５２を抽出し、ステップ１２６では、このイメージチェック帯５２内が描画されているか否かを判定するためのイメージチェック（描画チェック）を行う。すなわち、このイメージチェック帯５２内に画像を形成するピクセルがあるか否かを判定する。
【００４０】
図４（Ａ）に示すように、たとえば、イメージ５４Ａ、５４Ｂに相当するイメージデータが面付けされたイメージデータのシートイメージ５０上では、イメージ５４Ａ、５４Ｂの間が、中心線Ｃ0を挟む所定の幅で非画像領域となっている。ここから、シートイメージ５０上のイメージチェック帯５２内のピクセルを抽出し、このイメージチェック帯５２内が描画されているか否か（イメージを形成するピクセルがあるか否か）を判断する。なお、イメージチェック帯５２内が描画されているか否かの判断は、従来公知の任意の方法を適用することができる。
【００４１】
ここで、図３のフローチャートでは、イメージチェック帯５２内が描画されていないと判断（ステップ１２８で肯定判定）されると、ステップ１３０へ移行して、カウンタのカウントアップ（カウント値ｆをインクリメント（ｆ＝ｆ＋１））し、ステップ１３２では、すべてのイメージデータの判断を終了したか否かを確認する。このとき、すべてのイメージデータに対して、イメージチェック帯５２の描画チェックを終了していなければ（ステップ１３２で否定判定されて）、ステップ１２２へ移行し、次のイメージデータを読込んでチェックを開始する。
【００４２】
一方、全てのイメージデータに対する描画チェックが終了し、ステップ１３２で肯定判定されると、ステップ１３４へ移行して、シグネチャージョブであるか否かの判定を行うための処理をする。この処理は、入力されたイメージデータの総数Ｆに対するカウント値ｆの比率（ｆ／Ｆ）を演算し、この演算値が所定値αを超えているか否か（α≦ｆ／Ｆ）を判定する（ステップ１３６）。
【００４３】
すなわち、イメージチェック帯５２内が描画されていないと判定されたイメージデータの数が多く、イメージデータの総数Ｆに対するカウント値ｆの比率が所定値αを超えているときには、読込んだイメージデータファイルがシグネチャージョブファイルであると判定する。このような判定方法を用いることにより、イメージデータがシグネチャージョブのイメージデータであるか否かに対する判定ミスが生じてしまうのを確実に防止することができる。
【００４４】
なお、シグネチャージョブであるか否かの判定は、任意に抽出した１枚分のイメージデータのイメージチェック帯５２が、描画されているか否かから判定するようにしても良く、また、任意に抽出した複数枚のイメージデータにおけるイメージチェック帯５２の描画の有無の比率から判定するようにしても良い。
【００４５】
ここで、イメージデータの総数Ｆに対するカウント値ｆの比率が予め設定されている所定値αを超えて（α≦ｆ／Ｆ）、ステップ１３６で肯定判定されると、ステップ１３８へ移行して、入力されたイメージデータはシグネチャージョブであると判定する。なお、ステップ１３６で否定判定されたときには、シグネチャージョブでないと判定して、処理を終了する。
【００４６】
なお、シートイメージ５０の長辺の中心点を通る中心線Ｃ0に沿ったイメージチェック帯５２が描画されていると判定されたときには、シートイメージ５０の短辺の中心点を通る中心線に沿ったイメージチェック帯を設定し、このイメージチェック帯に対して描画されているか否かの判定を行って、最終的にシグネチャージョブであるか否かの判定を行う（図示省略）。
【００４７】
このようにして、イメージデータがシグネチャージョブであると判定されると、イメージ分割処理を開始する。このイメージ分割処理は、先ず、図２のフローチャートのステップ１０４へ移行することにより分割数を設定する。
【００４８】
このイメージデータの分割は、例えば、図４（Ａ）に示すシートイメージ５０の中心線Ｃ0に沿って分割することができる。
【００４９】
一方、イメージデータ（シートイメージ５０）が、２つのイメージ５４Ａ、５４Ｂのイメージデータを面付けした２アップであれば、一つの中心線Ｃ0を挟んだ所定幅の領域に対して描画の有無のチェックを行えばよいが、４つのイメージデータを面付けしている場合（４アップ）や、それ以上のイメージデータを面付けしている場合（Ｎアップ、２Nのイメージデータを面付けしている場合）、分割したイメージデータをさらに分割する必要がある。
【００５０】
この場合、図４（Ｂ）に示すように、分割したイメージデータのページイメージ５６をシートイメージとみなすことにより、図４（Ａ）のシートイメージ５０と同様に判定することができる。すなわち、図４（Ｂ）に示すように、分割したイメージデータのページイメージ５６に対して、長辺の中心点を通過する中心線Ｃ1を設定し、この中心線Ｃ1を挟んだ所定のピクセル幅のイメージチェック帯５８について描画の有無をチェックする。
【００５１】
これにより、分割したイメージデータに対して、シグネチャージョブか否かの判定と同様にして２つのイメージデータに分割可能か否かを判定することができる。すなわち、イメージチェック帯５８が描画されていなければ、イメージチェック帯５８を挟んでイメージ５６Ａ、５６Ｂが面付け去れていると判断できる。
【００５２】
さらに、分割したイメージデータに対して、分割できないと判定されるまで、同様の判定処理を繰返す。これにより、イメージデータの分割数を決定することができる。また、分割して切り出されるイメージデータの総数が決定する。
【００５３】
このようにしてイメージデータの分割数を決定すると、図２のステップ１０６では、イメージデータの切り出し位置の設定を行う。
【００５４】
図５（Ａ）に示すように、例えば折り丁小冊子製本等を行うようにシグネチャージョブが設定されているイメージデータでは、イメージデータの面付け位置が、ずらされていることがある（以下、「シグネチャーシフト」という）。
【００５５】
すなわち、シグネチャージョブのイメージデータに基づいて印刷した印刷物を中綴じ製本した場合、外側のシートほど中央部に広い綴じ代を必要とするため、シートイメージ上のイメージの位置が、外側のシートほど中心線Ｃ0から左右に離れる。
【００５６】
このイメージのシフトは、通常、製本する印刷物の枚数（ページ数）から所定の演算式に基づいて求めることができる。
【００５７】
このようなシグネチャーシフトが施されていることにより、最初のイメージデータに対するシートイメージ６０上での中心線Ｃ0を挟んだイメージ６０Ａ、６０Ｂの間隔Ｗ1と、最終のイメージデータのシートイメージ６４上での中心線Ｃ0を挟んだイメージ６４Ａ、６４Ｂの間隔Ｗ2とは異なり、Ｗ1＞Ｗ2となる。
【００５８】
ここから、中心線Ｃ0を挟んだイメージ６０Ａ、６０Ｂの間隔Ｗ1（例えば平均値）と、イメージ６４Ａ、６４Ｂの間隔Ｗ2を算出し、シグネチャーシフトが施されているか否かを判断する。ここで、例えばＷ1＞Ｗ2であったなら、シグネチャーシフトが施されていると判断し、各イメージデータ毎に、イメージデータの総数（ページ数）に応じて設定しているシフト量に基づいて各イメージデータを切り出すようにする。
【００５９】
このシフト量は、主にシートの厚みとページ数に基づくものであるため、予め演算によって求めておくことが可能である。また、各イメージデータに対してページイメージ上での間隔を演算して、パラメータ及び演算式を設定し、設定したパラメータ及び演算式から求めるようにしても良い。
【００６０】
これにより、図５（Ｂ）に示すように、面付けされている各イメージデータを、イメージがページイメージ上で同じ位置となるように切り出すことが可能となる。
【００６１】
一方、図５（Ａ）に示すように、両面印刷を行う場合、イメージデータは、シートイメージ６２上でイメージ６２Ａ、６２Ｂの上下が反転するように回転されているものがある。このようなイメージ６２Ａ、６２Ｂのイメージデータを切り出すときには、回転させるようにイメージデータを変換する必要がある。
【００６２】
この場合、面付けされたイメージデータに応じた画像をモニタ２８に表示させることにより、回転されたイメージデータであるか否かを容易にかつ正確に確認することができる。また、上下が逆か否かのみを判定するため、設定が簡単であると共に判定ミスが生じることはない。
【００６３】
このような、イメージデータ上でのイメージの回転は、一定の規則性を有しているために、予め操作パネル３０上のキー操作によって選択して設定することができる。これにより、図５（Ａ）に示すシートページ６２のイメージ６２Ａ、６２Ｂや、シートページ６４のイメージ６４Ａ、６４Ｂなどのようにイメージが回転されていても、図５（Ｂ）に示すように、これらのイメージ（図５（Ｂ）ではイメージ６４Ｂのみを図示）が適切な向きとなるように、イメージデータを切り出すことができる。
【００６４】
このようにして、シグネチャージョブのイメージデータから個々のイメージデータの切り出し設定を行うと、図２のステップ１０８では、入力されたイメージデータからの個々のイメージデータを切り出すときの並び替え設定を行う。
【００６５】
並び替え設定は、例えば、最初に切り出し順序を設定し、この切り出し順序に合わせて行う。
【００６６】
このような並び替え設定は、例えば図５（Ａ）に示すように、イメージデータのイメージをモニタ２８に表示することにより、ページ番号６６等からイメージの順序を判定することができる。また、シグネチャージョブでは、このイメージの順序に所定の規則性が持たされている。
【００６７】
ここから、モニタ２８の表示を見ながら、操作パネル３０のキー操作によって、並び替え順序を簡単に設定することができる。
【００６８】
すなわち、図５（Ａ）の最初のシートページ６０では、紙面右側のイメージ５０Ａから切り出す。また、次のシートページ６２では、紙面左側のイメージ６２Ｂから切り出す。
【００６９】
また、並び替え順序は、最初のシートページ６０から切り出したイメージ６０Ａ、６２Ｂの間に、次のシートページ６２から切り出したイメージ６２Ｂ、６２Ａを、その切り出し順序で先に切り出したイメージ６０Ａ、６０Ｂの間に差し込む。
【００７０】
このような並び替え順序は、面付け時に一定の規則性を持たされていることから、予め並び替えパターンを設定しておき、設定されている並び替えパターンから選択することができ、これにより、並び替え順序の設定操作を、より簡単に行うことができる。
【００７１】
なお、図５（Ａ）では、２つイメージを面付けした所謂２アップのイメージデータについて説明しているが、例えば、４つのイメージを面付けしている所謂４アップのイメージデータに対しては、図６（Ａ）に示すように、ページシート７０の紙面左のイメージ７０Ａから、右上のイメージ７０Ｂ、左下のイメージ７０Ｃ、右下のイメージ７０Ｄの順に切り出すパターンに加え、図６（Ｂ）に示すように、イメージ７０Ａ、７０Ｃ、７０Ｂ、７０Ｄの順に切り出すパターン、図６（Ｃ）に示すように、イメージ７０Ｃ、７０Ａ、７０Ｂ、７０Ｄの順に切り出すパターン、図６（Ｄ）に示すように、イメージ７０Ｂ、７０Ｄ、７０Ａ、７０Ｃの順に切り出すパターン等がある。なお、図６（Ａ）乃至図６（Ｄ）のイメージ中の数字は、切り出し順序を示している。
【００７２】
ここから、面付け数Ｎ（Ｎアップ）に応じて切り出しパターンを設定すれば、切り出し順序及び並び替え順序の選択を正確にかつ容易に行うことができる。
【００７３】
このようにして、シグネチャージョブのイメージデータから１ページ分ずつのイメージデータを切り出す時の条件を設定すると、図２に示すフローチャートのステップ１１０で、イメージデータの切り出し処理を行い、ステップ１１２では、切り出したイメージデータの並び替えを行う。
【００７４】
これにより、図５（Ａ）に示すシートイメージ６０、６２・・６４から切り出されたイメージ（イメージデータ）を、ページイメージ６８Ａ、６８Ｂ、６８Ｃ、６８Ｄ・・６８Ｈの順に並べられる。
【００７５】
また、ステップ１１４では、シグネチャージョブのイメージデータから、面付けされている個々のイメージデータを分割するために設定した項目に基づいて、個々のイメージを互いに関連付ける情報として、新たに面付け情報を設定する。
【００７６】
このとき、シグネチャーシフトが施されていれば、このシグネチャーシフトに対応する情報を付加し、さらに、分割したしたときのイメージデータの組み合わせや、イメージが回転されていたか否かの情報を付加する。
【００７７】
イメージ分割装置１０は、このように作成した面付け情報をジョブチケットとしてイメージ処理装置１８で処理可能なフォーマットで、分割したイメージデータとして出力する（ステップ１１６）。これにより、版下管理装置１６が、イメージ処理装置１８で認識することができないフォーマットでジョブチケットを出力しても、イメージ処理装置１８で正確に認識することができるジョブファイルとして出力することができる。
【００７８】
また、イメージ分割装置１０では、シグネチャージョブであるイメージデータに面付けされている個々のイメージを、オペレータがキー操作で分割位置を設定することなく、適切な領域で正確に分割することができる。すなわち、イメージ分割装置１０は、面付けされたイメージデータを自動的に分割することができるので、分割作業を円滑にかつ正確に行うことができる。
【００７９】
また、イメージデータを分割するために設定した各種項目に基づいて新たに面付け情報を自動的に作成するので、版下管理装置１６等から出力されたシグネチャージョブに応じた、印刷出力が得られるイメージデータファイル及びチケットジョブファイルを作成することができる。
【００８０】
なお、以上説明した本実施の形態では、イメージデータに応じたイメージをモニタ２２に表示し、イメージが回転されているイメージデータを選択ないし設定するように説明したが、イメージの回転に対する処理はこれに限るものではない。
【００８１】
例えば、図５（Ａ）に示すページ番号６６等のようにイメージデータ中での文字や数字等のキャラクタを予め設定し、イメージデータ中のこのキャラクタのイメージを抽出し、該キャラクタが回転しているか否かを判定するようにしても良い。これにより、回転しているイメージデータをオペレータがモニタ２２の表示を見ながら選択ないし設定する等の作業を行うことなく、イメージデータの回転変換を自動的に行うことが可能となる。
【００８２】
また、本実施の形態では、オペレータがモニタ２２にイメージデータに応じたイメージを表示して、切り出し順序及び並び替え順序を設定するように説明したが、イメージデータの切り出し順序及び並び替え順序の設定は、これに限るものではない。
【００８３】
例えば、１ページ分のイメージデータ中には、ページ番号６６のようにイメージの順序を決定可能な情報が含まれている。また、このページ番号６６は、規則正しい位置に形成されるようになっている。ここから、各イメージデータ中のページ番号を解析することにより、イメージデータの切り出し順序のみならず、並び替え順序も決定することができる。
【００８４】
したがって、面付けされている各イメージデータ中のページ番号６６を解析して、切り出し順序及び並び替え順序を設定するようにしても良い。これにより、オペレータがモニタ２２の表示を見ながら切り出し順序や並び替え順序を設定しなくても、自動的にイメージデータの並び替えを行うことができ、イメージ分割操作が、より一層簡略化される。
【００８５】
なお、以上説明した本実施の形態は、本発明の構成を限定するものではない。例えば、本実施の形態では、版下管理装置１６が出力するシグネチャージョブのイメージデータを例に説明したは、本発明のイメージ分割装置には、版下管理装置１６に限らず、シグネチャージョブのイメージデータを出力するものであれば、任意の出力装置に接続することができる。
【００８６】
【発明の効果】
以上説明したように本発明によれば、イメージデータに基づいたシートイメージ上の所定の領域をイメージチェック帯に設定し、イメージチェック帯に描画されているか否かから面付けされたイメージデータであるか否かを判定し、面付けされたイメージデータであると判定したときに、このイメージチェック帯を挟んだ所定位置でイメージデータを分割することにより、正確かつ適切なイメージデータの分割が可能となる。これにより、面付けされたイメージデータの分割作業を簡略化することができるという優れた効果が得られる。
【００８７】
また、本発明では、イメージデータを分割する時の切り出し条件に基づいて分割したイメージデータを関連付ける情報を作成するので、分割前のイメージデータに記されている情報を、分割したイメージデータに合わせ持たせることができる。
【図面の簡単な説明】
【図１】  本実施の形態に適用したイメージ分割装置の概略構成図である。
【図２】  イメージ分割装置でのイメージデータの分割処理の概略を示す流れ図である。
【図３】  シグネチャージョブであるか否かの判定の概略を示す流れ図である。
【図４】  （Ａ）は入力されたイメージデータに基づいたシートイメージの一例を示す概略図、（Ｂ）は図４（Ａ）のイメージデータから分割したイメージデータに基づいたページイメージの一例を示す概略図である。
【図５】  （Ａ）は２アップのイメージデータに基づいたシートイメージの一例を示す概略図、（Ｂ）は図５（Ａ）のイメージデータを分割して並び替えたイメージデータに基づいたページイメージの一例を示す概略図である。
【図６】  （Ａ）乃至（Ｄ）は４アップのイメージデータからのページイメージデータの切り出し順序の一例を示す概略図である。
【符号の説明】
１０    イメージ分割装置
１６    版下管理装置
１８    イメージ処理装置
２０    コントロール部
２２    シグネチャージョブ判定部
２４    イメージ分割部
２６    面付け情報作成部
５０、６０、６２、６４    シートイメージ
５２、５８    イメージチェック帯
５４Ａ、５４Ｂ、５６Ａ、５６Ｂ、６０Ａ、６０Ｂ、６２Ａ、６２Ｂ、６４Ａ、６４Ｂ    イメージ
５６、６８Ａ〜６８Ｈ    ページイメージ
【図１】
0003912012.tif 000002
【図２】
0003912012.tif 000003
【図３】
0003912012.tif 000004
【図４】
0003912012.tif 000005
【図５】
0003912012.tif 000006
【図６】
0003912012.tif 000007